(57)【要約】【課題】ケース本体に蓋がレーザ溶接される蓄電素子において、ケース本体と蓋との間での高い接合強度を安定して確保しつつ、蓄電素子の最小化、ひいては、複数の蓄電素子をモジュール化した蓄電装置の最小化を図る。【解決手段】蓄電素子１は、先端が開口３ａの周縁を構成する壁部３２を備え、内部に電極体１０が収容されたケース本体３と、ケース本体３の開口３ａを塞ぐ蓋４とを備える。蓋４は、ケース本体３の壁部３２の先端を覆う蓋本体６４と、蓋本体６４よりも蓋本体の厚み方向内側に位置して壁部３２に係合する係合部６５とを備える。蓋本体６４の外面から蓋４と壁部３２との界面にかけて、壁部３２の外面５２よりも内側に位置するように溶接部７０が形成されている。【選択図】図６
2016119156.tif 000002
【特許請求の範囲】
【請求項１】
先端が開口の周縁を構成する壁部を備え、内部に電極体が収容されたケース本体と、
前記ケース本体の前記開口を塞ぐ蓋と
を備え、
前記蓋は、前記ケース本体の前記壁部の前記先端を覆う蓋本体と、前記蓋本体よりも前記蓋本体の厚み方向内側に位置して前記壁部に係合する係合部とを備え、
前記蓋本体の外面から前記蓋と前記壁部との界面にかけて、前記壁部の外面よりも内側に位置するように溶接部が形成されている、蓄電素子。
【請求項２】
前記蓋の前記係合部は、前記開口から前記ケース本体内に突出した状態で前記壁部に係合している、請求項１に記載の蓄電素子。
【請求項３】
前記蓋の前記係合部は、前記壁部の内面に係合している、請求項２に記載の蓄電素子。
【請求項４】
前記壁部の前記先端の内面に切欠部が形成され、
前記蓋の前記係合部は、前記切欠部に係合している、請求項２に記載の蓄電素子。
【請求項５】
前記蓋の前記係合部は、前記ケース本体外に位置する状態で前記壁部に係合している、請求項１に記載の蓄電素子。
【請求項６】
前記蓋本体の厚み方向における前記溶接部の深さは、前記壁部の壁厚よりも大きい、請求項１から請求項５のいずれか１項に記載の蓄電素子。
【請求項７】
請求項１から請求項６のいずれか１項に記載の蓄電素子を複数備え、
前記複数の蓄電素子は、前記壁部の厚み方向に重ね合わされている、蓄電装置。
【発明の詳細な説明】
【技術分野】
【０００１】
本発明は、リチウムイオン二次電池のような非水電解質二次電池を含む蓄電素子、及び、複数の蓄電素子をモジュール化した蓄電装置に関する。
【背景技術】
【０００２】
一般に、リチウムイオン二次電池のような非水電解質二次電池を含む蓄電素子は、電極体を収容する外装体を備える。外装体は、金属製のケース本体と、ケース本体の開口を塞ぐ金属製の蓋とで構成されることがある。この種の蓄電素子において、蓋は、ケース本体の開口を塞いだ状態でレーザ照射によって開口周縁に溶接されることがある。
【０００３】
特許文献１には、蓋の周縁部がケース本体の上端部にレーザ溶接された蓄電素子の一例が開示されている。特許文献１の蓄電素子では、蓋の下面周縁部に段状の切欠部が形成されることで、蓋の周縁部が薄肉部となっている。この薄肉部は、ケース本体の上端面に部分的に載置された状態で上方からレーザ照射されることで、ケース本体の上端部に隅肉溶接されている。特許文献１の蓄電素子によれば、溶接の際、蓋の下面の切欠部にケース本体の上端部が係合することで、蓋の位置ずれ及び脱落が防止される。
【先行技術文献】
【特許文献】
【０００４】
【特許文献１】特開２０１１−１８１２１５号公報
【発明の概要】
【発明が解決しようとする課題】
【０００５】
しかしながら、特許文献１の蓄電素子のように隅肉溶接によって蓋の端部をケース本体上端部に接合するとき、材料の溶け込み量を大きくしようとすると、溶融した材料がケース本体の幅方向外側へ垂れて凝固することで、ケース本体の側面から突出するようにビードが形成され、このビードが突出した分だけ蓄電素子の寸法が増大する問題がある。特に、複数の蓄電素子を重ね合わせてモジュール化した蓄電装置においては、隣接する蓄電素子間にビードが介在することで蓄電素子間の間隔が拡がるため、蓄電装置の小型化が妨げられる。
【０００６】
そこで、本発明は、ケース本体に蓋がレーザ溶接される蓄電素子の最小化、ひいては、複数の蓄電素子をモジュール化した蓄電装置の最小化を図ることを課題とする。
【課題を解決するための手段】
【０００７】
本発明は、先端が開口の周縁を構成する壁部を備え、内部に電極体が収容されたケース本体と、前記ケース本体の前記開口を塞ぐ蓋とを備え、前記蓋は、前記ケース本体の前記壁部の前記先端を覆う蓋本体と、前記蓋本体よりも前記蓋本体の厚み方向内側に位置して前記壁部に係合する係合部とを備え、前記蓋本体の外面から前記蓋と前記壁部との界面にかけて、前記壁部の外面よりも内側に位置するように溶接部が形成されている、蓄電素子を提供する。
【０００８】
ケース本体の壁部の先端を覆う蓋本体の外面から蓋と壁部との界面にかけて溶接部が形成されることで、溶接時に、十分な溶け込み量を確保しつつ、溶融した材料が壁厚方向外側へ垂れることが抑制される。これにより、壁部の外面から突出するようなビードが形成されることが防止され、ケース本体の寸法を最小化できる。
【０００９】
また、本発明は、上記の蓄電素子を複数備え、前記複数の蓄電素子は、前記壁部の厚み方向に重ね合わされている、蓄電装置を提供する。
【００１０】
蓄電装置を構成する各蓄電素子は、上記のように壁部の外面からのビードの突出が防止されるため、隣接する蓄電素子間の間隔が最小化されるように複数の蓄電素子を重ね合わせることができる。これにより、蓄電装置の最小化が図られる。
【発明の効果】
【００１１】
本発明によれば、ケース本体に蓋が溶接される蓄電素子、及び、該蓄電素子が複数重ね合わされた蓄電装置において、ケース本体の周囲へのビードの突出によるサイズの増大を防止できる。
【図面の簡単な説明】
【００１２】
【図１】本発明の第１実施形態に係る非水電解質二次電池の斜視図。
【図２】図１の非水電解質二次電池の縦断面図。
【図３】図１の非水電解質二次電池を複数備えた組電池の側面図。
【図４】組電池の変形例の側面図。
【図５】図１のＶ−Ｖ線断面図。
【図６】図５の部分VIの拡大図。
【図７】蓋を内面側から見た斜視図。
【図８】変形例に係る蓋の斜視図。
【図９】第２実施形態に係る非水電解質二次電池の図５と同様の断面図。
【図１０】図９の部分Ｘの拡大図。
【図１１】第３実施形態に係る非水電解質二次電池の図５と同様の断面図。
【図１２】図１１の部分XIIの拡大図。
【図１３】第１比較例に係る電池の外装体の一部の縦断面図。
【図１４】図１３の部分XIVの拡大図。
【図１５】第２比較例に係る電池の外装体の一部の縦断面図。
【図１６】図１５の部分XVIの拡大図。
【発明を実施するための形態】
【００１３】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００１４】
［第１実施形態］
図１及び図２は、本発明の第１実施形態に係るリチウムイオン二次電池（以下、単に「電池」という）１を示す。
【００１５】
図１及び図２に示すように、電池１は、例えば略直方体の外装体２を有する。外装体２には、電極体１０と電解液（図示せず）が収容されている。外装体２は、上端に開口３ａを有するケース本体３と、ケース本体３の開口３ａを塞ぐ蓋４とを備える。
【００１６】
ケース本体３は長方形板状の底壁部３１と、底壁部３１の長辺から立ち上がる一対の長側壁部３２と、底壁部３１の短辺から立ち上がる一対の短側壁部３３とを備える。一対の長側壁部３２と一対の短側壁部３３の上端は、ケース本体３の開口３ａを画定している。蓋４は概ね長方形板状である。蓋４には、外装体２内のガスを排出するための安全弁８と、注液口を閉鎖する液栓９とが設けられている。
【００１７】
外装体２を構成するケース本体３と蓋４は、アルミニウム又はアルミニウム合金のような金属製である。ただし、ケース本体３と蓋４の材料は、金属であれば特に限定されるものでなく、互いに異なっていてもよい。外装体２のより具体的な構成は後に説明する。
【００１８】
図２に示すように、蓋４には、負極及び正極の外部端子１４，１５と、電極体１０と外部端子１４，１５を電気的に接続する負極及び正極の集電体２０，２１とが固定されている。
【００１９】
負極外部端子１４は蓋４の一端側（図２において左側）に配置され、正極外部端子１５は蓋４の他端側（図２において右側）に配置されている。負極外部端子１４は、例えば負極外部端子１４とは別体のリベット（図示せず）によって、上部パッキン１６を介して蓋４の上面に加締固定されている。正極外部端子１５は、例えば正極外部端子１５と一体のリベット部によって、上部パッキン１６を介して蓋４の上面に加締固定されている。
【００２０】
電極体１０は、いずれも帯状である正極電極シート、負極電極シート、及び、両電極シート間に介在するセパレータを重ね合わせて、巻回軸周りに長楕円状に巻回した巻回体である。巻回軸が延びる方向における電極体１０の一端（図２において左側の端部）には、負極電極シートに電気的に導通した負極リード部１１ｄが設けられ、他端には、正極電極シートに電気的に導通した正極リード部１２ｄが設けられている。
【００２１】
負極及び正極の各集電体２０，２１は、蓋４の下面に固定される基部２０ａ，２１ａと、該基部２０ａ，２１ａから下方へ延びる一対の脚部２０ｂ，２１ｂと、を有する。負極集電体２０の基部２０ａは、負極外部端子１４に電気的に接続されるように、例えば上記のリベットによって、下部パッキン１８を介して蓋４の下面に加締固定されている。正極集電体２１の基部２１ａは、正極外部端子１５に電気的に接続されるように、例えば上記のリベット部によって、下部パッキン１８を介して蓋４の下面に加締固定されている。
【００２２】
負極集電体２０の脚部２０ｂは、電極体１０の負極リード部１１ｄに電気的及び機械的に接続されている。具体的には、例えば、負極集電体２０の一対の脚部２０ｂによって電極体１０の負極リード部１１ｄを挟み込むとともに、一対の脚部２０ｂをＣ形のクリップ２６で挟み込み、クリップ２６の外側から超音波溶接を行うことで、負極集電体２０の脚部２０ｂと電極体１０の負極リード部１１ｄとが接続される。
【００２３】
同様に、正極集電体２１の脚部２１ｂは、電極体１０の正極リード部１２ｄに電気的及び機械的に接続されている。具体的には、例えば、正極集電体２１の一対の脚部２１ｂによって電極体１０の正極リード部１２ｄを挟み込むとともに、一対の脚部２１ｂをＣ形のクリップ２６で挟み込み、クリップ２６の外側から超音波溶接を行うことで、正極集電体２１の脚部２１ｂと電極体１０の正極リード部１２ｄとが接合される。
【００２４】
本実施形態では、負極外部端子１４はアルミニウム又はアルミニウム合金製であり、負極外部端子１４と負極集電体２０を蓋４に固定するための上記リベット、及び負極集電体２０は銅又は銅合金製である。また、正極外部端子１５及び正極集電体２１はアルミニウム又はアルミニウム合金製である。
【００２５】
以上のように、蓋４に負極及び正極の集電体２０，２１が固定され、負極及び正極の集電体２０，２１に電極体１０が接合されることで、電極体１０は、負極集電体２０及び正極集電体２１を介して蓋４に吊り下げ支持される。
【００２６】
なお、以上で説明した電池１の全体構成は一例に過ぎず、後述する外装体２の構成以外の電池１の構成は任意に変更可能である。
【００２７】
［組電池の構成］
図３は、上記の電池１を複数備えた組電池８０を模式的に示す側面図である。図３に示すように、組電池８０は、上記の電池１を所定の積層方向Ｘに複数重ね合わせてモジュール化してなる蓄電装置である。積層方向Ｘは、ケース本体３の長側壁部３２（図１参照）の壁厚方向に平行な方向である。
【００２８】
上記のように重ね合わされた複数の電池１のうち、積層方向Ｘの両側において最も外側に配置された電池１の更に外側には例えば樹脂製のエンドプレート８２が重ねられている。このように重ね合わされた複数の電池１及び一対のエンドプレート８２からなる積層体は、例えば金属製の複数の拘束バンド８４の両端部によって、積層方向Ｘの両側から挟み込まれている。各拘束バンド８４の両端部は、例えばボルトによってエンドプレート８２に固定されている。これにより、複数の電池１は積層状態に保持される。複数の電池１の外部端子１４，１５間は、バスバー８６のような接続部材を介して電気的に接続されている。
【００２９】
ただし、図３に示す組電池８０の構成は一例に過ぎず、組電池の構成は、種々の変更が可能である。例えば、図３に示す組電池３０では、隣接する電池１の長側壁部３２同士が重ね合わされているが、隣接する電池１の短側壁部３３同士が重ね合わされるようにしてもよい。
【００３０】
図４は、変形例に係る組電池９０を模式的に示す側面図である。図４に示す組電池９０では、隣接する電池１間にスペーサ９８が介在するように複数の電池１が積層されている。組電池９０におけるその他の構成は、図３に示す組電池８０と同様であり、組電池９０を構成する複数の電池１は、エンドプレート８２及び拘束バンド８４を用いて、スペーサ９８を介した積層状態に保持されている。
【００３１】
図４に示す組電池９０によれば、隣接する電池１間に介装されたスペーサ９８によって、電池１間の絶縁を確実に果たすとともに、複数の電池１を相互に位置決めすることができる。
【００３２】
［外装体］
以下、電池１の外装体２のより具体的な構成を説明する。
【００３３】
図１及び図２に示すように、蓋４は、ケース本体３における開口３ａの周縁部、すなわち長側壁部３２の上端部及び短側壁部３３の上端部に溶接されている。長側壁部３２と蓋４の接合部と、短側壁部３３と蓋４の接合部とは、互いに同様の接合構造となっている。
【００３４】
図５〜図７を参照しながら、ケース本体３と蓋４との接合部及びその周辺部の構成について説明する。なお、図５は、図１のＶ−Ｖ線断面における電池１の一部を示す断面図であり、図６は、図５の部分VIの拡大図であり、図７は、蓋４を内面側から見た斜視図である。
【００３５】
以下においては、図５及び図６に図示されたケース本体３の長側壁部３２と蓋４との接合部について説明し、短側壁部３３と蓋４との接合部については図示及び説明を省略する。以下の説明において、長側壁部３２を単に「壁部３２」ともいう。
【００３６】
図５に示すように、各壁部３２は、外装体２に収容された電極体１０に対向する内面５１と、内面５１とは反対側に位置する外面５２とを備えている。壁部３２の内面５１及び外面５２は、蓋４の厚み方向に略平行に配置されている。壁部３２は、内面５１の上端と外面５２の上端とに跨がる上面５３を備えている。上面５３は、ケース本体３の開口３ａ（図２参照）周縁を構成する部分である。上面５３は、それぞれ略直角のコーナを介して内面５１と外面５２とに隣接しており、壁部３２の厚み方向に略平行に配置されている。
【００３７】
図５〜図７に示すように、蓋４は、外装体２に収容された電極体１０に対向する内面６１と、内面６１とは反対側に位置する外面６２とを備えている。蓋４の内面６１及び外面６２は、壁部３２の厚み方向に略平行に配置されている。蓋４の周縁部における内面６１側コーナ部には、例えば断面Ｌ形の切欠部６３が設けられている。
【００３８】
蓋４は、蓋４における切欠部６３よりも上側部分からなる蓋本体６４と、蓋４における切欠部６３よりも壁厚方向内側に位置する内側嵌合部６５とを備える。蓋本体６４は、略長方形の周縁部６４ａを備える。内側嵌合部６５は、蓋本体６４における周縁部６４ａで囲まれた部分から下方に突出するように設けられている。
【００３９】
蓋４は、蓋本体６４よりも蓋厚方向内側に内側嵌合部６５が位置する姿勢で、壁部３２の上面５３に蓋本体６４の周縁部６４ａが支持されるように、ケース本体３の上端部に取り付けられている。これにより、内側嵌合部６５は、ケース本体３の内側に嵌合するように配置される。
【００４０】
図６に示すように、蓋本体６４の周縁部６４ａの下面６６は、蓋４の内面６１及び外面６２に略平行な面で構成されており、壁部３２の厚み方向に略平行に配置されている。蓋本体６４の周縁部６４ａは、壁部３２の上面５３全体を覆っている。これにより、周縁部６４ａの下面６６は、壁部３２の上面５３の略全面に接した状態で壁部３２によって支持されている。
【００４１】
蓋４の周縁部６４ａは、一対の長側壁部３２及び一対の短側壁部３３の各上面によって全周に亘って支持される。これにより、ケース本体３に蓋４を溶接するとき、蓋４の周縁部６４ａ全体を壁部３２の上面５３上に仮置きすることができる。
【００４２】
内側嵌合部６５は、開口３ａ（図２参照）からケース本体３内に突出した状態で壁部３２の内面５１に係合している。内側嵌合部６５の外周面６８は、蓋厚方向に略平行な面で構成されており、壁部３２の内面５１に略平行に配置されている。これにより、内側嵌合部６５は、その外周面６８と壁部３２の内面５１とが互いに略平行に配置された状態で対向するように、壁部３２に係合している。ケース本体３の壁部３２と蓋４の内側嵌合部６５との係合により、ケース本体３に対して蓋４を位置決めすることができ、これにより、ケース本体３内への蓋４の脱落を防止できる。
【００４３】
蓋本体６４の外周面６７は、蓋４の厚み方向に略平行な面で構成されており、壁部３２の外面５２と同一面上に連なるように配置されている。つまり、蓋４は、壁部３２の外面５２から壁厚方向外側に突出しないように配置されている。
【００４４】
上述のように、蓋４には外部端子１４，１５、集電体２０，２１及び電極体１０のような種々の部品が組み付けられるため、蓋４には、ケース本体３よりも高い剛性が要求される。この要求に応えるため、蓋４の厚肉部分、すなわち内側嵌合部６５が設けられた部分の厚みＤ２は、ケース本体３の壁部３２の厚みＤ１よりも大きくなっている。例えば、壁部３２の厚みＤ１は、０．５ｍｍ以上１．０ｍｍ未満であり、蓋４の厚みＤ２は、１．０ｍｍ以上２．０ｍｍ未満である。
【００４５】
蓋４は、その厚み方向外側からのレーザ照射によって、ケース本体３の壁部３２の上端部に溶接されている。具体的には、上方から蓋本体６４の外面６２に向けて、蓋４の厚み方向に平行な方向に沿ってレーザが照射され、これにより、溶接部７０が蓋４の厚み方向に延びるように形成される。溶接部７０は、蓋本体６４の外面６２から蓋４と壁部３２との界面にかけて、壁部３２の外面５２よりも内側に位置するように形成されている。
【００４６】
溶接部７０は、蓋厚方向に略平行に配置された蓋４の内側嵌合部６５の外周面６８と壁部３２の内面５１との界面を含むように形成されることが好ましい。この場合、溶接部７０に含まれる蓋４と壁部３２との界面の面積の増大を図ることができ、これにより、蓋４と壁部３２との接合強度を高めることができる。
【００４７】
以上の外装体２の構成により、第１実施形態に係る電池及び組電池は、種々の作用効果を奏する。以下、第１実施形態の作用効果について、図１３及び図１４に示す第１比較例に係る電池８０１、並びに、図１５及び図１６に示す第２比較例に係る電池９０１と対比しながら説明する。
【００４８】
図１３は、第１比較例に係る電池８０１の外装体８０２の一部を示す図５と同様の縦断面図であり、図１４は、図１３に示す部分XIVの拡大図である。
【００４９】
図１３に示すように、第１比較例に係る電池８０１においても、外装体８０２はケース本体８０３と蓋８０４とで構成されている。ケース本体８０３の壁部８３０は、壁部本体８４０と、壁部本体８４０の上端から上方に突出する突出部８４３を備えている。壁部本体８４０の上端には、蓋８０４の端部を支持する支持面部８４２が形成されている。
【００５０】
図１４に示すように、第１比較例に係る電池８０１において、蓋８０４と壁部８３０の突出部８４３との界面を含む溶接部８７０を形成するために、上方から蓋８０４の外面８０５と突出部８４３の上面８４４との境界部分に向けてレーザ照射を行うと、この境界部分に隙間又は微小な段差が生じることにより、レーザ照射の焦点距離を安定させ難くなり、これにより、溶接部８７０の溶け込み深さが不安定になりやすい。そのため、溶接時に、ケース本体８０３内にレーザが侵入したり、溶融した材料が壁厚方向の外側へ垂れることで、壁部８３０の外面８５２よりも壁厚方向外側に突出するビード８７２が形成されやすくなったりする。このようなビード８７２が形成されると、壁厚方向におけるビード８７２の突出量Ｒの分だけ、ケース本体８０３の寸法、ひいては電池８０１の寸法が増大してしまう。
【００５１】
また、第１比較例に係る電池８０１を複数重ね合わせて図３に示すような組電池を組み立てるとき、隣接する電池８０１間、及び、電池８０１とエンドプレート８２との間にビード８７２が介在することで、積層方向Ｘにおいて組電池の寸法Ｌ１が増大してしまう。
【００５２】
同様に、第１比較例に係る電池８０１を複数重ね合わせて図４に示すような組電池を組み立てるとき、電池８０１とスペーサ９８との間、及び、電池８０１とエンドプレート８２との間にビード８７２が介在することで、積層方向Ｘにおいて組電池の寸法Ｌ２が増大してしまう。
【００５３】
また、第１比較例において、スペーサ９８及びエンドプレート８２の形状を、ビード８７２との干渉が回避されるような形状とすることで、組電池の寸法増大を抑制することが考えられるが、この場合、スペーサ９８及びエンドプレート８２の特別な加工が必要になる。
【００５４】
これに対して、第１実施形態では、溶接時に、平坦な蓋４の外面６２に向けてレーザが照射されるため、十分な溶け込み量を確保しつつ、溶融した材料が壁厚方向外側へ垂れることが抑制される。これにより、壁部３２の外面５２から突出するようなビードが形成されることが防止され、壁厚方向において、ケース本体３の寸法、ひいては電池１の寸法の最小化を図ることができる。
【００５５】
また、平坦な蓋４の外面６２に向けてレーザが照射されることで、焦点距離を安定させやすくなる利点もある。蓋４の厚み方向における蓋４の外面６２から溶接部７０の最深部までの距離を溶接部７０の溶け込み深さＤ３と定義するとき、上記のようにレーザ照射の焦点距離が安定することにより、溶接部７０の溶け込み深さＤ３も安定し、これにより、高い接合強度を安定して得ることができる。
【００５６】
さらに、溶接部７０の溶け込み深さＤ３が安定することで、溶接時に、ケース本体３内へのレーザの侵入が抑制される利点もあり、これにより、レーザ照射による電極体１０の性能低下を防止することができる。
【００５７】
また、第１実施形態によれば、個々の電池１において、壁部３２の外面５２からの蓋４及びビードの突出が防止されることで、図３又は図４に示すような組電池８０，９０を組み立てるとき、隣接する電池１間、電池１とエンドプレート８２との間、及び、電池１とスペーサ９８との間の間隔を最小化することができる。これにより、積層方向Ｘにおいて、組電池８０，９０の最小化が図られる。
【００５８】
さらに、第１実施形態によれば、第１比較例のようなビード８７２の形成が防止されることにより、組電池８０，９０の製造において、ビード８７２との干渉を回避するための特別な加工をエンドプレート８２及びスペーサ９８に施す必要がない。
【００５９】
また、第１実施形態では、壁部３２の上面５３全体に蓋４が覆い被さることで、第１比較例に比べて、壁部３２において蓋４を支持する部分の幅が拡大されるため、壁部３２の上面５３に仮置きされた蓋４の脱落を確実に防止できる。さらに、第１実施形態によれば、壁部３２の上端部に、蓋４との係合のための特別な加工を施す必要がないため、ケース本体３として既製品を利用できたり、ケース本体３の製造が容易になったりする利点がある。
【００６０】
図１５は、第２比較例に係る電池９０１の外装体９０２の一部を示す図５と同様の縦断面図であり、図１６は、図１５に示す部分XVIの拡大図である。
【００６１】
図１５に示すように、第２比較例に係る電池９０１においても、外装体９０２はケース本体９０３と蓋９０４とで構成されている。第２比較例に係る電池９０１において、蓋９０４は、ケース本体９０３の壁部９４０の上面９５２を覆う周縁部９０６ａを有する蓋本体９０６と、蓋本体９０６から下方に突出して壁部９４０の内面９５１に係合する内側嵌合部９０７とを備えている。
【００６２】
図１６に示すように、第２比較例に係る電池９０１においても、第１実施形態と同様、壁部９４０の厚みＳ１は、蓋９０４の厚みＳ２よりも小さい。また、第１実施形態と異なり、蓋９０４と壁部９４０との溶接は側方からのレーザ照射により行われる。これにより、蓋９０４の周縁部９０６ａと壁部９４０の上面９５２との界面を含む溶接部９７０が形成されている。このように形成される溶接部９７０の溶け込み深さＳ３は、せいぜい壁部９４０の厚みＳ１と同程度であり、壁厚Ｓ１よりも深い溶接部９７０を形成することは難しい。
【００６３】
これに対して、図５及び図６に示すように、第１実施形態では、壁部３２よりも肉厚である蓋４の厚み方向に沿ってレーザ照射が行われるため、溶接部７０の溶け込み深さＤ３を大きく確保しやすい。これにより、溶け込み深さＤ３は、壁部３２の厚みＤ１よりも大きくなっている。そのため、ケース本体３と蓋４との接合強度を高めることができる。
【００６４】
なお、第１実施形態では、蓋４の切欠部６３が断面Ｌ形であり、蓋４の周縁部６４ａの下面６６が壁厚方向に略平行に配置される例を説明したが、切欠部６３及び周縁部６４ａの下面６６の形状は、壁部３２の上面５３の形状に応じて適宜変更可能である。
【００６５】
また、第１実施形態では、図７に示すように、蓋４の内側嵌合部６５が長方形板状である例を説明したが、図８に示す変形例に係る蓋１０４のように、板状の内側嵌合部６５に代えて、方形枠状の内側嵌合部１６５を設けてもよく、この場合も、同様の効果を得ることができる。
【００６６】
［第２実施形態］
図９及び図１０を参照しながら、第２実施形態に係る電池２０１の外装体２０２の構成、特に、外装体２０２を構成するケース本体２０３と蓋２０４との接合部の構成を説明する。
【００６７】
なお、第２実施形態において、外装体２０２以外の電池２０１の構成は、第１実施形態に係る電池１と同様である。第２実施形態の説明において、第１実施形態と同様の構成要素については説明を省略するとともに、図９及び図１０において第１実施形態と同じ符号を付している。
【００６８】
また、第２実施形態の説明では、図９及び図１０に図示されたケース本体２０３の長側壁部２３２と蓋２０４との接合部について説明し、短側壁部と蓋２０４との接合部については図示及び説明を省略する。以下の説明において、長側壁部２３２を単に「壁部２３２」ともいう。
【００６９】
図９に示すように、各壁部２３２は、外装体２０２に収容された電極体１０に対向する内面２５１と、内面２５１とは反対側に位置する外面２５２とを備えている。壁部２３２の内面２５１及び外面２５２は、蓋２０４の厚み方向に略平行に配置されている。壁部２３２の上端の内面２５１には、例えば断面Ｌ形の切欠部２４１が形成されている。
【００７０】
壁部２３２は、壁部２３２における切欠部２４１よりも下側部分からなる壁部本体２４０を備えている。壁部本体２４０の上端における壁厚方向内側部分は、蓋２０４を支持する支持面部２４２となっている。支持面部２４２は、壁厚方向に略平行な面で構成されている。
【００７１】
壁部２３２は、壁部２３２における切欠部２４１よりも壁厚方向外側に位置する突出部２４３を備えている。突出部２４３は、壁部本体２４０よりも小さな壁厚を有し、壁部本体２４０の上端から上方へ突出するように設けられている。突出部２４３の上端はケース本体２０３の開口の周縁を構成している。
【００７２】
図１０に示すように、突出部２４３は、壁部本体２４０の内面２５１よりも外側に位置する内面２５３を備えている。突出部２４３の内面２５３は、略直角のコーナを介して支持面部２４２に隣接しており、蓋２０４の厚み方向に略平行に配置されている。また、突出部２４３は、内面２５３と外面２５２とにそれぞれ略直角のコーナを介して隣接する上面２５４を備えている。突出部２４３の上面２５４は、壁厚方向に略平行に配置されている。
【００７３】
図９に示すように、蓋２０４は、外装体２０２に収容された電極体１０に対向する内面２６１と、内面２６１とは反対側に位置する外面２６２とを備えている。蓋２０４の内面２６１及び外面２６２は、壁部２３２の厚み方向に略平行に配置されている。蓋２０４の周縁部における内面２６１側コーナ部には、例えば断面Ｌ形の切欠部２６３が設けられている。
【００７４】
蓋２０４は、蓋２０４における切欠部２６３よりも上側部分からなる蓋本体２６４と、蓋２０４における切欠部２６３よりも壁厚方向内側に位置する内側嵌合部２６５とを備える。蓋本体２６４は、略長方形の周縁部２６４ａを備える。内側嵌合部２６５は、蓋本体２６４における周縁部２６４ａで囲まれた部分から下方に突出するように設けられている。なお、内側嵌合部２６５は、図７に示す内側嵌合部６５のような板状部で構成されているが、図８に示す内側嵌合部１６５のような枠状部であってもよい。
【００７５】
蓋２０４は、蓋本体２６４よりも蓋厚方向内側に内側嵌合部２６５が位置する姿勢で、ケース本体２０３の上端部に取り付けられている。これにより、内側嵌合部２６５は、ケース本体２０３の内側に嵌合するように配置される。
【００７６】
図１０に示すように、蓋本体２６４の周縁部２６４ａの下面２６６は、蓋２０４の内面２６１及び外面２６２に略平行な面で構成されており、壁厚方向に略平行に配置されている。蓋本体２６４の周縁部２６４ａの下面２６６は、壁部２３２の突出部２４３の上面２５４に略平行に配置されており、この上面２５４全体を覆っている。蓋２０４の内面２６１、すなわち内側嵌合部２６５の下面２６１は、壁部２３２の支持面部２４２に略平行に配置されており、この支持面部２４２全体を覆っている。蓋２０４は、壁部２３２の上面２５４の略全体及び支持面部２４２の略全体に接した状態で、壁部２３２によって支持されている。
【００７７】
蓋２０４は、一対の長側壁部２３２及び一対の短側壁部によって全周に亘って支持される。これにより、ケース本体２０３に蓋２０４を溶接するとき、蓋２０４の周縁部全体を壁部２３２上に仮置きすることができる。
【００７８】
蓋２０４の内側嵌合部２６５は、ケース本体２０３の開口からケース本体２０３内に突出した状態で壁部２３２の突出部２４３の内面２５３に係合している。内側嵌合部２６５の外周面２６８は、蓋厚方向に略平行な面で構成されており、壁部２３２の突出部２４３の内面２５３に略平行に配置されている。これにより、内側嵌合部２６５は、その外周面２６８と突出部２４３の内面２５３とが互いに略平行に配置された状態で対向するように、壁部２３２の切欠部２４１に係合している。壁部２３２の切欠部２４１と蓋２０４の内側嵌合部２６５との係合により、ケース本体２０３に対して蓋２０４を位置決めすることができ、これにより、ケース本体２０３内への蓋２０４の脱落を防止できる。
【００７９】
蓋本体２６４の外周面２６７は、蓋２０４の厚み方向に略平行な面で構成されており、壁部２３２の外面２５２と同一面上に連なるように配置されている。つまり、蓋２０４は、壁部２３２の外面２５２から壁厚方向外側に突出しないように配置されている。
【００８０】
蓋２０４の厚肉部分、すなわち内側嵌合部２６５が設けられた部分の厚みＥ２は、ケース本体２０３の壁部２３２の厚肉部分、すなわち壁本体２４０の厚みＥ１よりも大きくなっている。例えば、壁部２３２の厚みＥ１は、０．５ｍｍ以上１．０ｍｍ未満であり、蓋２０４の厚みＥ２は、１．０ｍｍ以上２．０ｍｍ未満である。
【００８１】
蓋２０４は、その厚み方向外側からのレーザ照射によって、ケース本体２０３の壁部２３２の上端部に溶接されている。具体的には、上方から蓋本体２６４の外面２６２に向けて、蓋２０４の厚み方向に平行な方向に沿ってレーザが照射され、これにより、溶接部２７０が蓋２０４の厚み方向に延びるように形成される。溶接部２７０は、蓋本体２６４の外面２６２から蓋２０４と壁部２３２との界面にかけて、壁部２３２の外面２５２よりも内側に位置するように形成されている。
【００８２】
溶接部２７０は、蓋厚方向に略平行に配置された蓋２０４の内側嵌合部２６５の外周面２６８と壁部２３２の突出部２４３の内面２５３との界面を含むように形成されることが好ましい。この場合、溶接部２７０に含まれる蓋２０４と壁部２３２との界面の面積の増大を図ることができ、これにより、蓋２０４と壁部２３２との接合強度を高めることができる。
【００８３】
以上の外装体２０２の構成により、第２実施形態に係る電池及び組電池は、種々の作用効果を奏する。以下、第２実施形態の作用効果について、上述した第１比較例に係る電池８０１（図１３及び図１４参照）、並びに、第２比較例に係る電池９０１（図１５及び図１６参照）と対比しながら説明する。
【００８４】
第２実施形態では、溶接時に蓋８０４と壁部８３０の突出部８４３との境界部分に向けてレーザが照射される第１比較例とは対照的に、平坦な蓋２０４の外面２６２に向けてレーザが照射されるため、十分な溶け込み量を確保しつつ、溶融した材料が壁厚方向外側へ垂れることが抑制される。これにより、壁部２３２の外面２５２から突出するようなビードが形成されることが防止され、壁厚方向において、ケース本体２０３の寸法、ひいては電池２０１の寸法の最小化を図ることができる。
【００８５】
また、平坦な蓋２０４の外面２６２に向けてレーザが照射されることで、焦点距離を安定させやすくなる利点もある。蓋２０４の厚み方向における蓋２０４の外面２６２から溶接部２７０の最深部までの距離を溶接部２７０の溶け込み深さＥ３と定義するとき、上記のようにレーザ照射の焦点距離が安定することにより、溶接部２７０の溶け込み深さＥ３も安定し、これにより、高い接合強度を安定して得ることができる。
【００８６】
また、第２実施形態によれば、個々の電池２０１において、壁部２３２の外面２５２からの蓋２０４及びビードの突出が防止されることで、図３又は図４に示すような組電池８０，９０を組み立てるとき、隣接する電池２０１間、電池２０１とエンドプレート８２との間、及び、電池２０１とスペーサ９８との間の間隔を最小化することができる。これにより、積層方向Ｘにおいて、組電池８０，９０の最小化が図られる。
【００８７】
さらに、第２実施形態によれば、第１比較例のようなビード８７２の形成が防止されることにより、組電池８０，９０の製造において、ビード８７２との干渉を回避するための特別な加工をエンドプレート８２及びスペーサ９８に施す必要がない。
【００８８】
また、第２実施形態では、壁部２３２の上面２５４及び支持面部２４２の全体に蓋２０４が覆い被さることで、第１比較例に比べて、壁部２３２において蓋２０４を支持する部分の幅が拡大されるため、壁部２３２上に仮置きされた蓋２０４の脱落を確実に防止できる。
【００８９】
さらに、第２実施形態では、溶接時に壁厚方向に沿ってレーザ照射が行われる第２比較例とは対照的に、壁部２３２よりも肉厚である蓋２０４の厚み方向に沿ってレーザ照射が行われるため、溶接部２７０の溶け込み深さＥ３を大きく確保しやすい。これにより、溶け込み深さＥ３は、壁部２３２の厚みＥ１よりも大きくなっている。そのため、ケース本体２０３と蓋２０４との接合強度を高めることができる。
【００９０】
なお、図１０では、溶接部２７０の最深部が支持面部２４２よりも上側に位置する例が図示されているが、符号２７８の二点鎖線で示すように、溶接部２７０は、その最深部が支持面部２４２よりも下側に位置するように形成されてもよい。この場合、溶接部２７０には、蓋２０４の内側嵌合部２６５の外周面２６８と壁部２３２の突出部２４３の内面２５３との界面に加えて、蓋２０４の内面２６１と壁部２３２の支持面部２４２との界面が含まれるため、ケース本体２０３と蓋２０４との接合強度を高めることができる。
【００９１】
また、図１６に示すように、第２比較例に係る電池９０１では、外装体９０２に収容された電極体（図示せず）の膨張により、ケース本体９０３の開口周縁部が壁厚方向外側へ押し拡げられると、壁部９４０の内面９５１と蓋９０４の内側嵌合部９０７の外周面９０８との隙間が拡がることがある。そのため、溶接時に側方から照射されるレーザが内側嵌合部９０７の外周面９０８と壁部９４０の内面９５１との隙間を通ってケース本体９０３内へ侵入しやすくなる。
【００９２】
これに対して、第２実施形態では、電極体１０の膨張によりケース本体２０３の開口周縁部が壁厚方向外側へ押し拡げられても、壁部２３２の支持面部２４２と蓋２０４の内面２６１との隙間は拡がらないため、溶接時に照射されるレーザが当該隙間を通過し難い。これにより、ケース本体２０３内へのレーザの侵入が抑制され、レーザによる電極体１０の性能への悪影響を防止できる。
【００９３】
なお、第２実施形態では、壁部２３２の切欠部２４１及び蓋２０４の切欠部２６３が断面Ｌ形であり、壁部２３２の支持面部２４２及び蓋２０４の周縁部２６４ａの下面２６６が壁厚方向に略平行に配置される例を説明したが、切欠部２４１，２６３、壁部２３２の支持面部２４２及び蓋２０４の周縁部２６４ａの下面２６６の形状は、蓋２０４の内面２６１の形状及び壁部２３２の突出部２４３の上面２５４の形状に応じて適宜変更可能である。
【００９４】
［第３実施形態］
図１１及び図１２を参照しながら、第３実施形態に係る電池３０１の外装体３０２の構成、特に、外装体３０２を構成するケース本体３０３と蓋３０４との接合部の構成を説明する。
【００９５】
なお、第３実施形態において、外装体３０２以外の電池３０１の構成は、第１実施形態に係る電池１と同様である。第３実施形態の説明において、第１実施形態と同様の構成要素については説明を省略するとともに、図１１及び図１２において第１実施形態と同じ符号を付している。
【００９６】
また、第３実施形態の説明では、図１１及び図１２に図示されたケース本体３０３の長側壁部３３２と蓋３０４との接合部について説明し、短側壁部と蓋３０４との接合部については図示及び説明を省略する。以下の説明において、長側壁部３３２を単に「壁部３３２」ともいう。
【００９７】
図１１に示すように、各壁部３３２は、外装体３０２に収容された電極体１０に対向する内面３５１と、内面３５１とは反対側に位置する外面３５２とを備えている。壁部３３２の内面３５１及び外面３５２は、蓋３０４の厚み方向に略平行に配置されている。壁部３３２の上端の外面３５２には、例えば断面Ｌ形の切欠部３４１が形成されている。
【００９８】
壁部３３２は、壁部３３２における切欠部３４１よりも下側部分からなる壁部本体３４０を備えている。壁部本体３４０の上端における壁厚方向外側部分は、蓋３０４を支持する支持面部３４２となっている。支持面部３４２は、壁厚方向に略平行な面で構成されている。
【００９９】
壁部３３２は、壁部３３２における切欠部３４１よりも壁厚方向内側に位置する突出部３４３を備えている。突出部３４３は、壁部本体３４０よりも小さな壁厚を有し、壁部本体３４０の上端から上方へ突出するように設けられている。突出部３４３の上端はケース本体３０３の開口の周縁を構成している。
【０１００】
図１２に示すように、突出部３４３は、壁部本体３４０の外面３５２よりも内側に位置する外面３５３を備えている。突出部３４３の外面３５３は、略直角のコーナを介して支持面部３４２に隣接しており、蓋３０４の厚み方向に略平行に配置されている。また、突出部３４３は、内面３５１と外面３５３とにそれぞれ略直角のコーナを介して隣接する上面３５４を備えている。突出部３４３の上面３５４は、壁厚方向に略平行に配置されている。
【０１０１】
図１１に示すように、蓋３０４は、外装体３０２に収容された電極体１０に対向する内面３６１と、内面３６１とは反対側に位置する外面３６２とを備えている。蓋３０４の内面３６１及び外面３６２は、壁部３３２の厚み方向に略平行に配置されている。
【０１０２】
蓋３０４は、壁部３３２の上端よりも上側に配置される長方形板状の蓋本体３６３と、蓋本体３６３の周縁部から下方に突出する方形枠状の外側嵌合部３６４とを備えている。蓋３０４は、蓋本体３６３よりも蓋厚方向内側に外側嵌合部３６４が位置する姿勢で、ケース本体３０３の上端部に取り付けられている。これにより、外側嵌合部３６４は、ケース本体３０３の外側、具体的には、壁部３３２の突出部３４３の外側に嵌合するように配置される。
【０１０３】
図１２に示すように、蓋３０４の外周面３６７は、蓋本体３６３から外側嵌合部３６４にかけて連続する平坦面となっている。蓋３０４の外周面３６７は、蓋厚方向に略平行な面で構成されており、壁部３３２の外面３５２と略同一面上に連なるように配置されている。つまり、蓋３０４は、壁部３３２の外面３５２から壁厚方向外側に突出しないように配置されている。
【０１０４】
蓋３０４の外側嵌合部３６４は、壁部本体３４０よりも小さな壁厚を有する断面長方形の部分で構成されている。外側嵌合部３６４は、壁部３４０の突出部３４３の外面３５３に対向する内面３６８と、略直角のコーナを介して内面３６８に隣接する下面３６９とを備えている。外側嵌合部３６４の内面３６８は、蓋厚方向に略平行な面であり、突出部３４３の外面３５３に略平行に配置され、この外面３５３の略全体を壁厚方向外側から覆っている。外側嵌合部３６４の下面３６９は、蓋３０４の内面３６１及び外面３６２に略平行な面であり、壁部３３２の支持面部３４２に略平行に配置され、この支持面部３４２の略全体を上側から覆っている。このように、外側嵌合部３６４は、ケース本体３０３の外側に位置する状態で壁部３３２に係合している。
【０１０５】
蓋本体３６３の下面３６１の周縁部は、壁部３３２の突出部３４３の上面３５４全体を上側から覆っている。これにより、蓋３０４は、壁部３３２の上面３５４の略全体及び支持面部３４２の略全体に接した状態で、壁部３３２によって支持されている。
【０１０６】
蓋３０４は、一対の長側壁部３３２及び一対の短側壁部によって全周に亘って支持される。これにより、ケース本体３０３に蓋３０４を溶接するとき、蓋３０４の周縁部全体を壁部３３２上に仮置きすることができる。この仮置きによって、蓋３０４の外側嵌合部３６４は、ケース本体３０３の開口周縁部に外側から嵌合される。これにより、ケース本体３０３に対して蓋３０４を正確に位置決めできるとともに、ケース本体３０３内への蓋３０４の脱落を確実に防止できる。
【０１０７】
蓋３０４の蓋本体３６３の厚みＦ２は、ケース本体３０３の壁部３３２の壁本体３４０の厚みＦ１よりも大きくなっている。例えば、壁部３３２の厚みＦ１は、０．５ｍｍ以上１．０ｍｍ未満であり、蓋３０４の厚みＦ２は、１．０ｍｍ以上２．０ｍｍ未満である。
【０１０８】
蓋３０４は、その厚み方向外側からのレーザ照射によって、ケース本体３０３の壁部３３２の上端部に溶接されている。具体的には、上方から蓋本体３６３の外面３６２に向けて、蓋３０４の厚み方向に平行な方向に沿ってレーザが照射され、これにより、溶接部３７０が蓋３０４の厚み方向に延びるように形成される。溶接部３７０は、蓋本体３６３の外面３６２から蓋３０４と壁部３３２との界面にかけて、壁部３３２の外面３５２よりも内側に位置するように形成されている。
【０１０９】
溶接部３７０は、蓋厚方向に略平行に配置された蓋３０４の外側嵌合部３６４の内面３６８と、壁部３３２の突出部３４３の外面３５３との界面を含むように形成されることが好ましい。この場合、溶接部３７０に含まれる蓋３０４と壁部３３２との界面の面積の増大を図ることができ、これにより、蓋３０４と壁部３３２との接合強度を高めることができる。
【０１１０】
以上の外装体３０２の構成により、第３実施形態に係る電池及び組電池は、種々の作用効果を奏する。以下、第３実施形態の作用効果について、上述した第１比較例に係る電池８０１（図１３及び図１４参照）、並びに、第２比較例に係る電池９０１（図１５及び図１６参照）と対比しながら説明する。
【０１１１】
第３実施形態では、溶接時に蓋８０４と壁部８３０の突出部８４３との境界部分に向けてレーザが照射される第１比較例とは対照的に、平坦な蓋３０４の外面３６２に向けてレーザが照射されるため、十分な溶け込み量を確保しつつ、溶融した材料が壁厚方向外側へ垂れることが抑制される。これにより、壁部３３２の外面３５２から突出するようなビードが形成されることが防止され、壁厚方向において、ケース本体３０３の寸法、ひいては電池３０１の寸法の最小化を図ることができる。
【０１１２】
また、平坦な蓋３０４の外面３６２に向けてレーザが照射されることで、焦点距離を安定させやすくなる利点もある。蓋３０４の厚み方向における蓋３０４の外面３６２から溶接部３７０の最深部までの距離を溶接部３７０の溶け込み深さＦ３と定義するとき、上記のようにレーザ照射の焦点距離が安定することにより、溶接部３７０の溶け込み深さＦ３も安定し、これにより、高い接合強度を安定して得ることができる。
【０１１３】
さらに、第３実施形態によれば、個々の電池３０１において、壁部３３２の外面３５２からの蓋３０４及びビードの突出が防止されることで、図３又は図４に示すような組電池８０，９０を組み立てるとき、隣接する電池３０１間、電池３０１とエンドプレート８２との間、及び、電池３０１とスペーサ９８との間の間隔を最小化することができる。これにより、積層方向Ｘにおいて、組電池８０，９０の最小化が図られる。
【０１１４】
また、第３実施形態によれば、第１比較例のようなビード８７２の形成が防止されることにより、組電池８０，９０の製造において、ビード８７２との干渉を回避するための特別な加工をエンドプレート８２及びスペーサ９８に施す必要がない。
【０１１５】
さらに、第３実施形態では、溶接時に壁厚方向に沿ってレーザ照射が行われる第２比較例とは対照的に、壁部３３２よりも肉厚である蓋３０４の厚み方向に沿ってレーザ照射が行われるため、溶接部３７０の溶け込み深さＦ３を大きく確保しやすい。これにより、溶け込み深さＦ３は、壁部３３２の厚みＦ１よりも大きくなっている。そのため、ケース本体３０３と蓋３０４との接合強度を高めることができる。
【０１１６】
なお、図１２では、溶接部３７０の最深部が支持面部３４２よりも上側に位置する例が図示されているが、符号３７８の二点鎖線で示すように、溶接部３７０は、その最深部が支持面部３４２よりも下側に位置するように形成されてもよい。この場合、溶接部３７０には、蓋３０４の外側嵌合部３６４の内面３６８と壁部３３２の突出部３４３の外面３５３との界面に加えて、蓋３０４の外側嵌合部３６４の下面３６９と壁部３３２の支持面部３４２との界面が含まれるため、ケース本体３０３と蓋３０４との接合強度を高めることができる。
【０１１７】
また、図１６に示すように、第２比較例に係る電池９０１では、外装体９０２に収容された電極体（図示せず）の膨張により、ケース本体９０３の開口周縁部が壁厚方向外側へ押し拡げられると、壁部９４０の内面９５１と蓋９０４の内側嵌合部９０７の外周面９０８との隙間が拡がることがある。そのため、溶接時に側方から照射されるレーザが内側嵌合部９０７の外周面９０８と壁部９４０の内面９５１との隙間を通ってケース本体９０３内へ侵入しやすくなる。
【０１１８】
これに対して、第３実施形態では、蓋３０４の外側嵌合部３６４によって壁部３３２の外側への移動が規制されているため、電極体１０が膨張しても、ケース本体３０３の開口周縁部が壁厚方向外側へ押し拡げられることが抑制される。そのため、壁部３３２の上面３５４と蓋３０４の内面３６１との間に隙間が生じることが抑制され、溶接時に照射されるレーザが当該隙間を通過してケース本体３０３内へ侵入することが抑制される。
【０１１９】
なお、第３実施形態では、壁部３３２の切欠部３４１が断面Ｌ形であり、蓋３０４の外側嵌合部３６４が断面長方形である例を説明したが、切欠部３４１及び外側嵌合部３６４の形状は、相互の形状に合わせて適宜変更可能である。
【０１２０】
以上、上述の実施形態を挙げて本発明を説明したが、本発明は上述の実施形態に限定されるものではない。
【０１２１】
例えば、上記の第１〜第３実施形態では、蓋の外周面がケース本体の壁部の外面と同一面上に配置される例について説明したが、蓋の外周面は壁部の外面よりも壁厚方向内側に配置されてもよい。
【０１２２】
また、上記の第１〜第３実施形態では、ケース本体の長側壁部と蓋との接合構造が、短側壁部と蓋との接合構造と同様である例を説明したが、これらの接合構造は互いに異なっていてもよい。
【０１２３】
さらに、上記の第１〜第３実施形態では、リチウムイオン二次電池を例に本発明に係る蓄電素子を説明したが、本発明は、リチウムイオン二次電池以外の二次電池、一次電池、キャパシタを含む種々の蓄電素子に適用できる。
【符号の説明】
【０１２４】
１  電池（蓄電素子）
２  外装体
３  ケース本体
３ａ  開口
４    蓋
１０  電極体
１４  負極外部端子
１５  正極外部端子
１６  上部パッキン
１８  下部パッキン
２０  負極集電体
２１  正極集電体
３１  底壁部
３２  長側壁部
３３  短側壁部
５１  壁部の内面
５２  壁部の外面
５３  壁部の上面
６１  蓋の内面
６２  蓋の外面
６４  蓋本体
６４ａ  蓋本体の周縁部
６５  内側嵌合部（係合部）
６６  蓋本体の周縁部の下面
６７  蓋本体の外周面
６８  内側嵌合部の外周面
７０  溶接部
８０，９０  組電池（蓄電装置）
８２  エンドプレート
８４  拘束バンド
８６  バスバー
９８  スペーサ
１０４  蓋
１６５  内側嵌合部（係合部）
２０１  電池（蓄電素子）
２０２  外装体
２０３  ケース本体
２０４  蓋
２３２  壁部
２４０  壁部本体
２４１  切欠部
２４２  支持面部
２４３  突出部
２５１  壁部の内面
２５２  壁部の外面
２５３  突出部の内面
２５４  突出部の上面
２６１  蓋の内面
２６２  蓋の外面
２６３  切欠部
２６４  蓋本体
２６４ａ  蓋本体の周縁部
２６５  内側嵌合部（係合部）
２６６  蓋本体の周縁部の下面
２６７  蓋本体の外周面
２６８  内側嵌合部の外周面
２７０  溶接部
３０１  電池（蓄電素子）
３０２  外装体
３０３  ケース本体
３０４  蓋
３３２  壁部
３４０  壁部本体
３４１  切欠部
３４２  支持面部
３４３  突出部
３５１  壁部の内面
３５２  壁部の外面
３５３  突出部の外面
３５４  突出部の上面
３６１  蓋の内面
３６２  蓋の外面
３６３  蓋本体
３６４  外側嵌合部（係合部）
３６７  蓋の外周面
３６８  外側嵌合部の内面
３６９  外側嵌合部の下面
３７０  溶接部
【図１】
2016119156.tif 000003
【図２】
2016119156.tif 000004
【図３】
2016119156.tif 000005
【図４】
2016119156.tif 000006
【図５】
2016119156.tif 000007
【図６】
2016119156.tif 000008
【図７】
2016119156.tif 000009
【図８】
2016119156.tif 000010
【図９】
2016119156.tif 000011
【図１０】
2016119156.tif 000012
【図１１】
2016119156.tif 000013
【図１２】
2016119156.tif 000014
【図１３】
2016119156.tif 000015
【図１４】
2016119156.tif 000016
【図１５】
2016119156.tif 000017
【図１６】
2016119156.tif 000018